(57)【要約】【課題】装置本体にワーキングテーブルが取り付けられた画像形成装置において、ワーキングテーブルの下方に開閉可能な扉カバーを備える場合に、ワーキングテーブルが陰になって装置本体の内部を視認し難いという問題を解消する。【解決手段】本願発明の画像形成装置１は、装置本体２の一側部に外向きに張り出すように取り付けられたワーキングテーブル１０と、前記装置本体２の一側部のうち前記ワーキングテーブル１０の下方に形成された開口部１１を開閉可能に塞ぐ扉カバー１２とを備える。前記ワーキングテーブル１０の下面側には、前記扉カバー１２の開放によって点灯し前記ワーキングテーブル１０の下方を照らす照明手段２６を有する。【選択図】図４
2012155069.tif 000002
【特許請求の範囲】
【請求項１】
装置本体の一側部に外向きに張り出すように取り付けられたワーキングテーブルと、前記装置本体の一側部のうち前記ワーキングテーブルの下方に形成された開口部を開閉可能に塞ぐ扉カバーとを備えている画像形成装置であって、
前記ワーキングテーブルの下面側には、前記扉カバーの開放によって点灯し前記ワーキングテーブルの下方を照らす照明手段を有している、
画像形成装置。
【請求項２】
装置本体の一側部から外向きに張り出すように取り付けられたワーキングテーブルと、前記装置本体の一側部のうち前記ワーキングテーブルの下方に形成された開口部を開閉可能に塞ぐ扉カバーとを備えている画像形成装置であって、
前記ワーキングテーブルの下面側には、ジャムの検出によって点灯し前記ワーキングテーブルの下方を照らす照明手段を有している、
画像形成装置。
【請求項３】
前記開口部には、トナー像が転写された記録材に前記トナー像を定着させる定着部を臨ませており、前記照明手段は、前記扉カバーを開放した状態で、前記定着部周辺及びその搬送下流側にかけて光を照射可能に設定されている、
請求項１又は２に記載した画像形成装置。
【請求項４】
前記照明手段が前記ワーキングテーブルの付け根部に設けられている、
請求項１〜３のうちいずれかに記載した画像形成装置。
【請求項５】
前記照明手段は、前記扉カバーの回動支点部から離して配置されている、
請求項１〜４のうちいずれかに記載した画像形成装置。
【請求項６】
前記照明手段を複数有している、
請求項１〜５のうちいずれかに記載した画像形成装置。
【請求項７】
前記照明手段は前記装置本体の内部に挿通されるＵＳＢケーブルを有しており、
前記ＵＳＢケーブルの先端に設けられたＵＳＢコネクタを、前記装置本体の内部に配置されたＵＳＢインターフェイス部のＵＳＢコネクタに接続することによって、前記照明手段に給電する、
請求項１〜６のうちいずれかに記載した画像形成装置。
【発明の詳細な説明】
【技術分野】
【０００１】
本願発明は、装置本体にワーキングテーブルが取り付けられた画像形成装置に関するものである。画像形成装置には、複写機、プリンタ、ファクシミリ及びこれらの機能を複合的に備えた複合機といった各種のものが含まれる。
【背景技術】
【０００２】
従来の画像形成装置において、装置本体の一側部にワーキングテーブルを備えたものは公知である（例えば特許文献１及び２等参照）。画像形成装置にワーキングテーブルを設けることによって、原稿等を一時的にワーキングテーブル上に載置でき、画像形成装置を使用する際の利便性が向上する。
【先行技術文献】
【特許文献】
【０００３】
【特許文献１】実開平２−１１２６３２号公報
【特許文献２】特開平２００９−２８８３９８号公報
【発明の概要】
【発明が解決しようとする課題】
【０００４】
ところで、装置本体の側部には、ジャム処理時や消耗品交換時に開閉する扉カバーを設けるのが一般的であり、ワーキングテーブルの下方にも、この種の扉カバーが存在する。この場合、扉カバーを開放しても、開口部及びこれに臨ませた装置本体の内部がワーキングテーブルの陰になって、ユーザが装置本体の内部を視認し難く、ジャム処理や消耗品交換の作業性が低下するという問題があった。
【０００５】
本願発明は、このような現状を改善することを技術的課題とするものである。
【課題を解決するための手段】
【０００６】
請求項１の発明は、装置本体の一側部に外向きに張り出すように取り付けられたワーキングテーブルと、前記装置本体の一側部のうち前記ワーキングテーブルの下方に形成された開口部を開閉可能に塞ぐ扉カバーとを備えている画像形成装置であって、前記ワーキングテーブルの下面側には、前記扉カバーの開放によって点灯し前記ワーキングテーブルの下方を照らす照明手段を有しているというものである。
【０００７】
請求項２の発明は、装置本体の一側部から外向きに張り出すように取り付けられたワーキングテーブルと、前記装置本体の一側部のうち前記ワーキングテーブルの下方に形成された開口部を開閉可能に塞ぐ扉カバーとを備えている画像形成装置であって、前記ワーキングテーブルの下面側には、ジャムの検出によって点灯し前記ワーキングテーブルの下方を照らす照明手段を有しているというものである。
【０００８】
請求項３の発明は、請求項１又は２に記載した画像形成装置において、前記開口部には、トナー像が転写された記録材に前記トナー像を定着させる定着装置を臨ませており、前記照明手段は、前記扉カバーを開放した状態で、前記定着装置周辺及びその搬送下流側にかけて光を照射可能に設定されているというものである。
【０００９】
請求項４の発明は、請求項１〜３のうちいずれかに記載した画像形成装置において、前記照明手段が前記ワーキングテーブルの付け根部に設けられているというものである。
【００１０】
請求項５の発明は、請求項１〜４のうちいずれかに記載した画像形成装置において、前記照明手段は、前記扉カバーの回動支点から離して配置されているというものである。
【００１１】
請求項６の発明は、請求項１〜５のうちいずれかに記載した画像形成装置において、前記照明手段を複数有しているというものである。
【００１２】
請求項７の発明は、請求項１〜６のうちいずれかに記載した画像形成装置において、前記照明手段は前記装置本体の内部に挿通されたＵＳＢケーブルを有しており、前記ＵＳＢケーブルの先端に設けられたＵＳＢコネクタを、前記装置本体の内部に配置されたＵＳＢ接続器のＵＳＢコネクタに接続することによって、前記照明手段に給電するというものである。
【発明の効果】
【００１３】
請求項１の発明によると、扉カバー付近でのジャム処理や消耗品交換をする際に、前記扉カバーを開放するだけで照明手段が点灯することになり、ワーキングテーブルの陰になる開口部やこれに臨ませた装置本体内部を明るく照明でき、これらの部分の視認性を改善できる。従って、前記ワーキングテーブルの存在によって画像形成装置を使用する際の利便性を維持しながら、ジャム処理や消耗品交換の作業性が向上する。
【００１４】
また、請求項２の発明によると、扉カバー付近でジャムが発生した場合に照明手段が点灯することになり、前記照明手段の点灯によってユーザにジャムの発生を報知して、ユーザに注意を喚起できる。その後、前記扉カバーを開放すれば、ワーキングテーブルの陰になる開口部やこれに臨ませた装置本体内部を明るく照明でき、これらの部分の視認性を改善できる。従って、請求項１の発明と同様に、前記ワーキングテーブルの存在によって画像形成装置を使用する際の利便性を維持しながら、ジャム処理や消耗品交換の作業性が向上する。
【図面の簡単な説明】
【００１５】
【図１】ＭＦＰの外観斜視図である。
【図２】装置本体の内部構造を示す正面断面図である。
【図３】扉カバーの開放状態を示す外観斜視図である。
【図４】開放状態の扉カバーとＬＥＤ灯との関係を示す要部拡大正面断面図である。
【図５】ＭＦＰをワーキングテーブル側から見た側面図である。
【図６】コントローラの機能ブロック図である。
【図７】照明制御の第１実施形態を示すフローチャートである。
【図８】照明制御の第２実施形態を示すフローチャートである。
【図９】第３実施形態におけるＭＦＰの側面図である。
【図１０】第４実施形態におけるＭＦＰの側面図である。
【図１１】第５実施形態におけるＭＦＰの側面図である。
【発明を実施するための形態】
【００１６】
以下に、本願発明を具体化した実施形態を図面に基づいて説明する。
【００１７】
（１）．ＭＦＰの概要
図１に示す画像形成装置の一例としての複合機１（以下、ＭＦＰという）は、コピー機能、スキャナ機能、プリンタ機能、ファックス機能といった多くの機能を有するものであり、例えばＬＡＮや電話回線といったネットワーク（通信網）を介してのデータ送受信が可能になっている。すなわち、ＭＦＰ１は、原稿から読み取った画像データをネットワーク経由で他のコンピュータに出力したり、ネットワーク経由で他のコンピュータから画像データを入力して該画像データに基づく印刷を実行したり、ＦＡＸデータの送受信をしたりできるものである。
【００１８】
ＭＦＰ１における装置本体２の上部に、スキャナ部３と自動原稿搬送部４（以下、ＡＤＦという）とからなる画像読取部５が設けられている。画像読取部５は、スキャナ部３とＡＤＦ４とを同期して作動させ、ＡＤＦ４にセットされた原稿１枚ずつから画像を光学的に読み取ることにより、画像データを取得するように構成されている。すなわち、ＡＤＦ４はスキャナ部３に向けて原稿を１枚ずつ搬送し、スキャナ部３は、原稿が所定の読取位置を通過する際に画像を読み取って、画像データを取得するように構成されている。
【００１９】
装置本体２の下部には、記録材Ｐを収容する給紙部７が設けられている。装置本体２のうち画像読取部５と給紙部７との間には、記録材Ｐ上にトナー画像を印刷する画像形成部６が設けられている。給紙部７は記録材Ｐを１枚ずつ画像形成部６に供給し、画像形成部６は画像読取部５やネットワーク経由で取得された画像データに基づき、記録材Ｐ上にトナー画像を印刷するように構成されている。装置本体２のうち画像読取部５と画像形成部６との間にある凹みスペースは排紙貯留部８になっている。画像形成部６によってトナー画像が印刷された記録材Ｐは排紙貯留部８に排出される。
【００２０】
装置本体２の正面側（前面側）には、複数のキー（ボタン）を有する操作パネル９が設けられている。ユーザは、操作パネル９の表示画面等を見ながらキー操作をすることによって、ＭＦＰ１の各種機能の中から選択した機能について設定操作をしたり、ＭＦＰ１に作業実行を指示したりできる。
【００２１】
図１〜図４に示すように、装置本体２の一側部には、ワーキングテーブル１０が外向きに貼り出すように取り付けられている。ワーキングテーブル１０は、ＭＦＰ１のオプション部品であり、装置本体２の一側部に対して着脱可能になっている。ワーキングテーブル１０の天板面はほぼ平坦であり、原稿等を一時的に載置する作業スペースとして用いることが可能である。ワーキングテーブル１０は、ＭＦＰ１を使用する際の利便性等を考慮して、スキャナ部３とほぼ同じ高さ位置に設けられている。
【００２２】
装置本体２の一側部のうちワーキングテーブル１０の下方には、矩形状の開口部１１が形成されている。当該開口部１１は、下端側の回動支点部１３（図２参照）を中心として上下に開閉回動可能な扉カバー１２にて塞がれている。この場合、回動支点部１３の軸線方向は前後水平方向に延びている。扉カバー１２の開閉回動によって、装置本体２の内部が露出したり覆われたりする。ジャム処理や消耗品交換の際は、扉カバー１２を開放し、外部から装置本体２内部に手を差し入れて各種作業を行うことになる。
【００２３】
（２）．装置本体の内部構造
次に、図２〜図５を参照しながら、装置本体２の内部構造について説明する。片面印刷の場合、給紙部７から繰り出された記録材Ｐは、主搬送路１５に沿って画像形成部６に搬送される。画像形成部６では、イエロー（Ｙ）、マゼンタ（Ｍ）、シアン（Ｃ）、ブラック（Ｋ）の４色からなるトナー画像を中間転写ベルト１６に一次転写し、記録材Ｐが転写部１７を通過する際に、中間転写ベルト１６上のトナー画像を記録材Ｐの片面に一括して二次転写する。片面に未定着トナー画像を載せた記録材Ｐは、定着部１８を通過する際に加熱・加圧され、未定着トナー画像を定着される。トナー画像定着後（片面印刷後）の記録材Ｐは、排紙口１９から排紙貯留部８に排出される。両面印刷の場合は、片面印刷後の記録材Ｐを両面印刷用の循環搬送路２０に搬送して裏返しにし、再び主搬送路１５に戻すことによって、記録材Ｐの他面にトナー画像を転写・定着させることになる。
【００２４】
図２及び図４に示すように、扉カバー１２における主搬送路側１５の内面は、当該扉カバー１２を閉じた状態で主搬送路１５の一部として機能している。扉カバー１２には、転写部１７の二次転写ローラ２１と、転写部の搬送上流側にあるレジストローラ対２２の一方と、循環搬送路２０とが組み付けられた状態でユニット化されている。扉カバー１２の開閉回動によって、主搬送路１５のうちレジストローラ対２２以降の搬送下流側の範囲が露出したり覆われたりすることになる。
【００２５】
装置本体２内における開口部１１の近傍には、扉カバー１２の開閉状態を検出する開閉検出手段としての開閉検出センサ２３が配置されている（図２及び図４参照）。当該開閉検出センサ２３は、例えば扉カバー１２の閉止時はオフとなり、扉カバー１２の開放時はオンとなって開放を示す制御信号を後述するコントローラ３０（図７参照）に出力するリミットスイッチ型のものである。開閉検出センサ２３が扉カバー１２の開放を検出した場合は、ＭＦＰ１は全てのジョブの実行を禁止し、操作パネル９に扉カバー１２の開放を示す画面を表示することになる。なお、開閉検出手段としては、扉カバー１２（回動支点部１３）の回動角度を検出するエンコーダを採用してもよい。
【００２６】
主搬送路１５のうちレジストローラ対２２の搬送上流側には、記録材Ｐの先端位置及び後端位置を検出するレジストセンサ２４が配置されている。レジストセンサ２４は基本的に、転写部１７への記録材Ｐの搬送タイミング調整に用いられるが、転写部１７前での記録材Ｐのジャムを検出するのにも利用される。主搬送路１５のうち定着部１８の搬送下流側には、記録材Ｐの先端位置及び後端位置を検出する定着排紙センサ２５が配置されている。定着排紙センサ２５は基本的に、記録材Ｐ毎の画像形成完了判定に用いられるが、定着部１８前後での記録材Ｐのジャムを検出するのにも利用される。なお、レジストセンサ２４及び定着排紙センサ２５は、記録材Ｐが各センサ２４，２５上を通過する際にオンとなり、それ以外ではオフとなるように構成されている。これら両センサ２４，２５はジャム検出手段に相当するものである。
【００２７】
（３）．照明手段とその照明制御の関連構造
次に、図２〜図６を参照しながら、本願発明に係る照明手段とその照明制御の関連構造について説明する。図２及び図４に示すように、装置本体２の一側部に取り付けられたワーキングテーブル１０は下向き開口の箱状に形成されている。ワーキングテーブル１０の下面側には、ワーキングテーブル１０の下方を照らす照明手段の一例として、ＬＥＤ灯２６が設けられている。詳細は後述するが、この場合のＬＥＤ灯２６は、扉カバー１２の開放によって点灯し、閉止によって消灯するように構成されている。ＬＥＤ灯２６は、ワーキングテーブル１０のうち装置本体２の一側部に突き合わされる付け根部１０ａの内面中央側に設けられている。このため、例えば扉カバー１２を開放してジャム処理や消耗品交換をする際に、ＬＥＤ灯２６から装置本体２内部に向かう光をユーザの手等が遮るおそれを少なくできる。
【００２８】
図５に示すように、ＬＥＤ灯２６には、ワーキングテーブル１０の付け根部１０ａ及び装置本体２の一側部を貫通して装置本体２の内部に挿通されるＵＳＢケーブル２７を有している。ＵＳＢケーブル２７の先端に設けられたＵＳＢコネクタ２７ａを、装置本体の内部に配置されたＵＳＢインターフェイス部２８のＵＳＢコネクタ２８ａに接続することによって、ＬＥＤ灯２６に給電するように構成されている。ＵＳＢインターフェイス部２８は、後述するコントローラ３０に電気的に接続されている（図７参照）。ＬＥＤ灯２６のＵＳＢケーブル２７は装置本体２の内部に配線されるので、ＵＳＢケーブル２７が装置本体２外に露出して視認されることがなく、ＭＦＰ１の体裁がよく美観向上に貢献する。
【００２９】
図４に示すように、ＬＥＤ灯２６の照射部２６ａは、その照射面２６ｂ側が装置本体２の開口部１１に向くように傾けられている。このため、ＬＥＤ灯２６は、扉カバー１２を開放した状態で、定着部１８周辺及びその搬送下流側にかけて光を照射することが可能になっている。また、図２〜図４から分かるように、扉カバー１２の回動支点部１３は扉カバー１２の下端側に位置していて、ワーキングテーブル１０の下面側にあるＬＥＤ灯２６から大きく離れている。換言すると、ＬＥＤ灯２６は、扉カバー１２の回動支点部１３から離して配置されている。このため、開放状態の扉カバー１２がＬＥＤ灯２６から装置本体２内部に向かう光を遮ることはなく、的確に開口部１１やこれに臨ませた装置本体２内部を明るく照明できる。
【００３０】
さて、装置本体２内には、ＭＦＰ１の制御全般を司る制御手段としてのコントローラ３０が配置されている。コントローラ３０は、各種演算処理や制御を実行するＣＰＵ３１のほか、外部端末との接続用の通信インターフェイス（Ｉ／Ｆ）部３２、ＵＳＢインターフェイス部２８、ＥＥＰＲＯＭやフラッシュメモリ等の記憶手段３３、制御プログラムやデータを一時的に記憶させるＲＡＭ３４等を備えている。コントローラ３０には、スキャナ部３、ＡＤＦ４、画像形成部６、給紙部７及び操作パネル９が電気的に接続されている。また、コントローラ３０には、前述した開閉検出センサ２３、レジストセンサ２４及び定着排紙センサ２５も電気的に接続されている。コントローラ３０は、扉カバー１２の開閉によってＬＥＤ灯２６を点灯・消灯させる照明制御を実行するように構成されている。
【００３１】
（４）．照明制御の第１実施形態
次に、図７を参照しながら、照明制御の第１実施形態について説明する。図７には照明制御の第１実施形態をフローチャートで示している。ここで、以下に開示のフローチャートで示されるアルゴリズムは、コントローラ３０の記憶手段３３にプログラムとして記憶されており、ＲＡＭ３４に読み出されてからＣＰＵ３１にて実行される。第１実施形態の照明制御は、適宜時間間隔にて開閉検出センサ２３の検出結果をチェックする割り込み処理として実行される。
【００３２】
第１実施形態の照明制御ではまず、開閉検出センサ２３の検出結果を取得し（Ｓ０１）、開閉検出センサ２３がオン状態か否かを判別する（Ｓ０２）。開閉検出センサ２３がオフ状態であれば（Ｓ０２：ＮＯ）、扉カバー１２が閉止状態であることを意味するのでそのまま照明制御を終了する。開閉検出センサ２３がオン状態であれば（Ｓ０２：ＹＥＳ）、扉カバー１２が開放状態であることを意味するので、ＬＥＤ灯２６を点灯させる（Ｓ０３）。次いで、再び開閉検出センサ２３がオン状態か否かを判別し（Ｓ０４）、オン状態であれば（Ｓ０４：ＹＥＳ）、そのままステップＳ０３に戻ってＬＥＤ灯２６の点灯状態を継続させる。開閉検出センサ２３がオフ状態であれば（Ｓ０４：ＮＯ）、扉カバー１２が閉止状態になったことを意味するので、ＬＥＤ灯２６を消灯させ（Ｓ０５）、照明制御を終了するのである。
【００３３】
以上の説明から明らかなように第１実施形態によれば、扉カバー１２付近でのジャム処理や消耗品交換をする際に、扉カバー１２を開放するだけでＬＥＤ灯２６が点灯することになり、ワーキングテーブル１０の陰になる開口部１１やこれに臨ませた装置本体２内部を明るく照明でき、これらの部分の視認性を改善できる。従って、ワーキングテーブル１０の存在によってＭＦＰ１を使用する際の利便性を維持しながら、ジャム処理や消耗品交換の作業性が向上する。また、ＬＥＤ灯２６の点灯・消灯を扉カバー１２の開閉に連動して行えるから、ＬＥＤ灯２６の点灯・消灯操作のための専用スイッチを新たに設ける必要がなくて使い勝手がよい（ＬＥＤ灯２６の点灯・消灯操作のためにユーザの手を煩わせることがない）。
【００３４】
（５）．照明制御の第２実施形態
図８は照明制御の第２実施形態を示すフローチャートである。第２実施形態では、ＬＥＤ灯２６の点灯・消灯を扉カバー１２の開閉に連動させるのではなく、ジャムの発生・解消に連動させるという制御が実行される。第２実施形態におけるジャム発生の有無は、レジストセンサ２４を通過した記録材Ｐが所定時間内に定着排紙センサ２５を通過するか否かによって判断される。また、ジャムが解消したか否かは、レジストセンサ２４及び定着排紙センサ２５が両方ともオフであるか否かによって判断される。
【００３５】
この場合、図８のフローチャートに示すように、記録材Ｐの通過によってレジストセンサ２４がオンに切り換えられると（Ｓ１１）、記録材Ｐが定着排紙センサ２５に到達するのに要する時間をタイマにセットする（Ｓ１２）。次いで、定着排紙センサ２５が切り換えられずにオフのままであり（Ｓ１３：ＮＯ）、且つステップＳ１２でセットされたタイマにおいてタイムアウトが発生したら（Ｓ１４：ＹＥＳ）、ＬＥＤ灯２６を点灯させる（Ｓ１５）。次いで、レジストセンサ２４及び定着排紙センサ２５が両方ともオフ状態か否かを判別し（Ｓ１６）、少なくとも一方がオン状態であれば（Ｓ１６：ＮＯ）、そのままステップＳ１５に戻ってＬＥＤ灯２６の点灯状態を継続させる。両方共オフ状態であれば（Ｓ１６：ＹＥＳ）、ジャム解消を意味するので、ＬＥＤ灯２６を消灯させ（Ｓ１７）、照明制御を終了するのである。
【００３６】
以上の説明から明らかなように第２実施形態によれば、扉カバー１２付近でジャムが発生した場合はＬＥＤ灯２６が点灯することになり、ＬＥＤ灯２６の点灯によってユーザにジャムの発生を報知でき、ユーザに注意を喚起できる。その後、扉カバー１２を開放すれば、ワーキングテーブル１０の陰になる開口部１１やこれに臨ませた装置本体２内部を明るく照明でき、これらの部分の視認性を改善できる。従って、第１実施形態の場合と同様に、ワーキングテーブル１０の存在によってＭＦＰ１を使用する際の利便性を維持しながら、ジャム処理や消耗品交換の作業性が向上する。
【００３７】
また、ジャムが解消すればＬＥＤ灯２６を消灯させるから、ジャム解消をユーザに簡単に報知できる。更に、ＬＥＤ灯２６の点灯・消灯をジャムの発生・解消に連動して行えるから、ＬＥＤ灯２６の点灯・消灯操作のための専用スイッチを新たに設ける必要がなくて使い勝手がよい（ＬＥＤ灯２６の点灯・消灯操作のためにユーザの手を煩わせることがない）。
【００３８】
（６）．照明手段の別実施形態（第３、第４及び第５実施形態）
第１及び第２実施形態では、扉カバー１２の回動支点部１３を扉カバー１２の下端側に設けていたが、これに限定するものではない。例えば図９に示す第３実施形態のように、回動支点部１３を扉カバー１２の後端側に設け、扉カバー１２を水平開閉回動する構成にしてもよい。この場合、ＬＥＤ灯２６は、扉カバー１２の回動支点部１３から離間させるため、ワーキングテーブル１０における付け根部１０ａ内面の前寄り部位に配置される。また、図１０に示す第４実施形態のように、回動支点部１３を扉カバー１２の前端側に設け、扉カバー１２を水平開閉回動する構成にしてもよい。この場合のＬＥＤ灯２６は、扉カバー１２の回動支点部１３から離間させるため、ワーキングテーブル１０における付け根部１０ａ内面の後寄り部位に配置される。いずれの場合も、ＬＥＤ灯２６は、扉カバー１２の回動支点部１３から離れるため、開放状態の扉カバー１２がＬＥＤ灯２６から装置本体２内部に向かう光を遮ることはなく、的確に開口部１１やこれに臨ませた装置本体２内部を明るく照明できる。
【００３９】
更に、第１〜第４実施形態のＬＥＤ灯２６はいずれも１つであったが、これに限るものではなく、図１１に示す第５実施形態のように、ワーキングテーブル１０の下面側にＬＥＤ灯２６を複数個（図１１では３個）設けてもよい。このように構成すると、扉カバー１２を開放して外部から装置本体２内部に手を差し入れた場合に、ユーザの手等で陰になる部分を少なくでき、開口部１１やこれに臨ませた装置本体２内部を明るく照らせるのである。
【００４０】
（７）．その他
本願発明は、前述の実施形態に限らず、様々な態様に具体化できる。例えば、画像形成装置としてＭＦＰ１を例に説明したが、これに限らず、プリンタ等でもよい。照明手段はＬＥＤ灯２６に限らず、蛍光灯や電球といった光を照射する部材であればよい。その他、各部の構成は図示の実施形態に限定されるものではなく、本願発明の趣旨を逸脱しない範囲で種々変更が可能である。
【符号の説明】
【００４１】
１  ＭＦＰ（画像形成装置）
２  装置本体
１０  ワーキングテーブル
１２  扉カバー
１３  回動支点部
１５  主搬送路
２３  開閉検出センサ
２４  レジストセンサ
２５  定着排紙センサ
２６  ＬＥＤ灯（照明手段）
２７  ＵＳＢケーブル
２８  ＵＳＢインターフェイス部
３０  コントローラ
【図１】
2012155069.tif 000003
【図２】
2012155069.tif 000004
【図３】
2012155069.tif 000005
【図４】
2012155069.tif 000006
【図５】
2012155069.tif 000007
【図６】
2012155069.tif 000008
【図７】
2012155069.tif 000009
【図８】
2012155069.tif 000010
【図９】
2012155069.tif 000011
【図１０】
2012155069.tif 000012
【図１１】
2012155069.tif 000013